(57)【要約】【課題】製品に規格適合を示す認証マーク等を表示する際に、誤表示等の発生を低減することを目的とした情報処理装置、情報処理方法、およびプログラムを提供する。【解決手段】製品の型番ごとに、複数の認証マークの中で使用する認証マークを指定する認証データと、前記製品の銘板ラベルあるいは製品の銘板領域に、前記認証マークを印刷または刻印する位置を示す位置データとを記憶する銘板情報記憶部と、前記認証マークごとに対応した画像データを記憶する画像記憶部と、前記型番が指示される指示部と、前記指示部で指示された型番に基づいて、前記銘板情報記憶部から前記認証データと前記位置データを抽出し、前記画像記憶部から、前記認証データで指定される認証マークに対応した画像データを取得し、取得した画像データと位置データとにより、プリンタまたは刻印機が用いる銘板データを作成する銘板作成部と、備える。【選択図】図２
2018206065.tif 000002
【特許請求の範囲】
【請求項１】
製品の型番ごとに、複数の認証マークのうちから使用する１又は複数の認証マークを指定する認証データと、前記製品の銘板ラベルあるいは製品の銘板領域に、前記認証マークを印刷または刻印する位置を示す位置データとを記憶する銘板情報記憶部と、
前記認証マークごとに対応した画像データを記憶する画像記憶部と、
前記型番が指示される指示部と、
前記指示部で指示された型番に基づいて、前記銘板情報記憶部から前記認証データと前記位置データを抽出し、前記画像記憶部から、前記認証データで指定される認証マークに対応した画像データを取得し、取得した画像データと位置データとにより、プリンタまたは刻印機が用いる銘板データを作成する銘板作成部と、
を備えることを特徴とする情報処理装置。
【請求項２】
前記銘板情報記憶部は、前記製品の型番ごとに、銘板に用いるテキストデータと、前記銘板ラベルあるいは前記銘板領域に、前記テキストデータを印刷または刻印する位置を示すテキスト位置データとを記憶し、
前記銘板作成部は、前記指示部で指示された型番に基づいて、前記銘板情報記憶部から前記テキストデータとテキスト位置データとを抽出し、抽出した前記テキストデータと前記テキスト位置データとに基づいて、前記銘板データにテキストを加えることを特徴とする請求項１記載の情報処理装置。
【請求項３】
前記銘板情報記憶部は、前記製品の型番ごとに、銘板に用いる記号マークを指定する記号データと、前記銘板ラベルあるいは前記銘板領域に、前記記号マークを印刷または刻印する位置を示す記号位置データとを記憶し、
前記画像記憶部は、前記記号マークに対応した記号画像データを記憶し、
前記銘板作成部は、前記指示部で指示された型番に基づいて、前記銘板情報記憶部から前記記号データと前記記号位置データとを抽出し、抽出した前記記号データと前記記号位置データとに基づいて、前記銘板データに前記記号画像データを加えることを特徴とする請求項１または２記載の情報処理装置。
【請求項４】
前記指示部は、バーコードを読み取ることにより、前記型番を取得するバーコードリーダーを有することを特徴とする請求項１または２記載の情報処理装置。
【請求項５】
前記認証マークごとに、検査装置ごとの検査条件を示す検査条件データを記憶する検査条件記憶部と、
前記指示部で指示された型番に基づいて前記銘板情報記憶部から認証データを抽出し、当該抽出した認証データにより指定される１又は複数の認証マークに対応する検査条件データを、前記検査条件記憶部から読み出す認証確認部と、
前記認証確認部で読み出された対象の検査装置に対して、前記認証確認部で読み出された検査条件データを送信する送信部と、
を備えることを特徴とする請求項１〜４のいずれかに記載の情報処理装置。
【請求項６】
前記検査装置から出力される合格判定通知を示す情報のうち、前記認証確認部で読み出された前記対象の検査装置のすべての合格判定通知を示す情報が入力された場合に、前記銘板作成部に対して、銘板データの作成、または前記プリンタもしくは前記刻印機へ銘板データの送信を許可する許可部を備えることを特徴とする請求項５に記載の情報処理装置。
【請求項７】
製品の型番ごとに、複数の認証マークのうちから使用する１又は複数の認証マークを指定する認証データと、前記製品の銘板ラベルあるいは製品の銘板領域に、前記認証マークを印刷または刻印する位置を示す位置データとを記憶する銘板情報記憶部と、前記認証マークごとに対応した画像データを記憶する画像記憶部と、を備える情報処理装置が実行する情報処理方法であって、
前記型番が指示される指示ステップと、
前記指示ステップで指示された型番に基づいて、前記銘板情報記憶部から前記認証データと前記位置データを抽出し、前記画像記憶部から、前記認証データで指定される認証マークに対応した画像データを取得し、取得した画像データと位置データとにより、プリンタまたは刻印機が用いる銘板データを作成する銘板作成ステップと、
を含むことを特徴とする情報処理方法。
【請求項８】
製品の型番ごとに、複数の認証マークのうちから使用する１又は複数の認証マークを指定する認証データと、前記製品の銘板ラベルあるいは製品の銘板領域に、前記認証マークを印刷または刻印する位置を示す位置データとを記憶する銘板情報記憶部と、前記認証マークごとに対応した画像データを記憶する画像記憶部と、を備える情報処理装置として、コンピュータを機能させるためのプログラムであって、
前記型番が指示される指示手段と、
前記指示手段で指示された型番に基づいて、前記銘板情報記憶部から前記認証データと前記位置データを抽出し、前記画像記憶部から、前記認証データで指定される認証マークに対応した画像データを取得し、取得した画像データと位置データとにより、プリンタまたは刻印機が用いる銘板データを作成する銘板作成手段と、
して機能させるためのプログラム。
【発明の詳細な説明】
【技術分野】
【０００１】
本発明は、情報処理装置、情報処理方法、及びプログラムに関する。
【背景技術】
【０００２】
従来から、製品が適合している規格を示す認証マークを印字したラベルを製品に貼付し、あるいは認証マークを製品に直接刻印することにより、製品に認証マークを表示しなければならない。
【０００３】
認証マークの表示をラベルにより行う場合には、ラベル設計の担当者が適合している規格の認証マークをラベルのどの位置に配置してラベルを製造するのかを示した製造指示書を作成し、ラベル製造の担当者がその製造指示書に従ったラベルを製造して製品に貼付する作業が行われる。認証マークの表示を製品への直接刻印により行う場合には、設計の担当者が製造指示書（認証マークを製品のどの位置に刻印するのかを示した指示書）を作成し、刻印の担当者がその製造指示書に従ってレーザ印字等で製品に刻印する作業が行われる。
【先行技術文献】
【特許文献】
【０００４】
【特許文献１】特開平１１−７３４５２号公報
【発明の概要】
【発明が解決しようとする課題】
【０００５】
近年、製品に求められる適合規格は多様化しており、かつ、製品の仕向地（納品場所）によりそれらは異なる。よって、同一製品においても、適合すべき規格の組み合わせは多岐に渡り複雑化している。また、認証規格自体もそれぞれの機関において逐次見直しが行われており、その内容や認証マークが変更されることも少なくはない。一方、認証マークは、該当製品がその規格に適合していることを証明するものでもあり、万一誤った認証マークを貼付もしくは刻印して出荷した場合、重大なコンプライアンス違反となってしまう。
【０００６】
本発明は、このような事情に鑑みてなされたもので、製品に認証マーク等を表示する際に、人手の介在を極力排除することにより誤表示の発生を低減することを目的とした情報処理装置、情報処理方法、及びプログラムを提供することである。
【課題を解決するための手段】
【０００７】
本発明の一態様は、製品の型番ごとに、複数の認証マークのうちから使用する１又は複数の認証マークを指定する認証データと、前記製品の銘板ラベルあるいは製品の銘板領域に、前記認証マークを印刷または刻印する位置を示す位置データとを記憶する銘板情報記憶部と、前記認証マークごとに対応した画像データを記憶する画像記憶部と、前記型番が指示される指示部と、前記指示部で指示された型番に基づいて、前記銘板情報記憶部から前記認証データと前記位置データを抽出し、前記画像記憶部から、前記認証データで指定される認証マークに対応した画像データを取得し、取得した画像データと位置データとにより、プリンタまたは刻印機が用いる銘板データを作成する銘板作成部と、備えることを特徴とする情報処理装置である。
【０００８】
本発明の一態様は、上述の情報処理装置であって、前記銘板情報記憶部は、前記製品の型番ごとに、銘板に用いるテキストデータと、前記銘板ラベルあるいは前記銘板領域に、前記テキストデータを印刷または刻印する位置を示すテキスト位置データとを記憶し、前記銘板作成部は、前記指示部で指示された型番に基づいて、前記銘板情報記憶部から前記テキストデータとテキスト位置データとを抽出し、抽出した前記テキストデータと前記テキスト位置データとに基づいて、前記銘板データにテキストを加える。
【０００９】
前記銘板情報記憶部は、上述の情報処理装置であって、前記製品の型番ごとに、銘板に用いる記号マークを指定する記号データと、前記銘板ラベルあるいは前記銘板領域に、前記記号マークを印刷または刻印する位置を示す記号位置データとを記憶し、前記画像記憶部は、前記記号マークに対応した記号画像データを記憶し、前記銘板作成部は、前記指示部で指示された型番に基づいて、前記銘板情報記憶部から前記記号データと前記記号位置データとを抽出し、抽出した前記記号データと前記記号位置データとに基づいて、前記銘板データに前記記号画像データを加える。
【００１０】
本発明の一態様は、上述の情報処理装置であって、前記指示部は、バーコードを読み取ることにより、前記型番を取得するバーコードリーダーを有する。
【００１１】
本発明の一態様は、上述の情報処理装置であって、前記認証マークごとに、検査装置ごとの検査条件を示す検査条件データを記憶する検査条件記憶部と、前記指示部で指示された型番に基づいて前記銘板情報記憶部から認証データを抽出し、当該抽出した認証データにより指定される１又は複数の認証マークに対応する検査条件データを、前記検査条件記憶部から読み出す認証確認部と、前記認証確認部で読み出された対象の検査装置に対して、前記認証確認部で読み出された検査条件データを送信する送信部と、を備える。
【００１２】
本発明の一態様は、上述の情報処理装置であって、前記検査装置から出力される合格判定通知を示す情報のうち、前記認証確認部で読み出された前記対象の検査装置のすべての合格判定通知を示す情報が入力された場合に、前記銘板作成部に対して、銘板データの作成、または前記プリンタもしくは前記刻印機へ銘板データの送信を許可する許可部を備える。
【００１３】
本発明の一態様は、製品の型番ごとに、複数の認証マークのうちから使用する１又は複数の認証マークを指定する認証データと、前記製品の銘板ラベルあるいは製品の銘板領域に、前記認証マークを印刷または刻印する位置を示す位置データとを記憶する銘板情報記憶部と、前記認証マークごとに対応した画像データを記憶する画像記憶部と、を備える情報処理装置が実行する情報処理方法であって、前記型番が指示される指示ステップと、前記指示ステップで指示された型番に基づいて、前記銘板情報記憶部から前記認証データと前記位置データを抽出し、前記画像記憶部から、前記認証データで指定される認証マークに対応した画像データを取得し、取得した画像データと位置データとにより、プリンタまたは刻印機が用いる銘板データを作成する銘板作成ステップと、含むことを特徴とする情報処理方法である。
【００１４】
製品の型番ごとに、複数の認証マークのうちから使用する１又は複数の認証マークを指定する認証データと、前記製品の銘板ラベルあるいは製品の銘板領域に、前記認証マークを印刷または刻印する位置を示す位置データとを記憶する銘板情報記憶部と、前記認証マークごとに対応した画像データを記憶する画像記憶部と、を備える情報処理装置として、コンピュータを機能させるためのプログラムであって、前記型番が指示される指示手段と、前記指示手段で指示された型番に基づいて、前記銘板情報記憶部から前記認証データと前記位置データを抽出し、前記画像記憶部から、前記認証データで指定される認証マークに対応した画像データを取得し、取得した画像データと位置データとにより、プリンタまたは刻印機が用いる銘板データを作成する銘板作成手段と、して機能させるためのプログラムである。
【発明の効果】
【００１５】
以上説明したように、本発明によれば、製品に認証マーク等を表示する際に、人手の介在を極力排除することにより誤表示の発生を低減することが可能となる。
【図面の簡単な説明】
【００１６】
【図１】本発明の一実施形態に係る印字システムＡの概略構成の一例を示す図である。
【図２】本発明の一実施形態に係る情報処理装置２の概略構成の一例を示す図である。
【図３】本発明の一実施形態に係る銘板情報記憶部２２に格納されている認証データの一例をテーブル形式で示す図である。
【図４】本発明の一実施形態に係る銘板情報記憶部２２に格納されている位置データの一例をテーブル形式で示す図である。
【図５】本発明の一実施形態に係る銘板情報記憶部２２の位置データを説明する図である。
【図６】本発明の一実施形態に係る検査条件記憶部２４に格納されている検査条件データの一例をテーブル形式で示す図である。
【図７】本発明の一実施形態に係る登録端末装置５の概略構成の一例を示す図である。
【図８】本発明の一実施形態に係る印字システムＡの動作の流れを示すシーケンス図である。
【図９】本発明の一実施形態における情報処理装置２、及び登録端末装置５をコンピュータ等の電子情報処理装置で構成した場合のハードウェア構成の一例を示す図である。
【発明を実施するための形態】
【００１７】
以下、図面を参照して、本発明の一実施形態について説明する。
【００１８】
本発明の一実施形態に係る印字システムＡは、製品に表示しなければならない規格の認証マークを銘板ラベルに印刷する、又は製品自体にレーザ刻印するシステムである。製品を出荷する場合、その製品の製造会社は、出荷国に応じた電気安全、ＥＭＣ規制、レーザ規制、物質規制、防爆規格、省エネ等、種々の認証を取得する必要があり、その認証ごとに認証マークが定められている。そして、製品を世界各国の仕向地に出荷する場合、認証を受けた規格の認証マークを製品に表示する必要がある。ここで、認証マークとは、規格名をロゴ化等して示した文字、規格に適合したことを認証する認証機関の名称、規格の認証番号等から構成される、製品の品質、性能、安全等を証明したマークである。また、銘板ラベルとは、製品が適合している規格を示す認証マークを印字した標識である。
【００１９】
図１は、本発明の一実施形態に係る印字システムＡの概略構成の一例を示す図である。
印字システムＡは、注文端末装置１、情報処理装置２、検査装置３、印字装置４、及び登録端末装置５を備える。
【００２０】
注文端末装置１は、情報処理装置２と通信ネットワークＮを介して情報を送受する。注文端末装置１は、操作者（例えば、営業担当者）から注文情報が入力されると、その注文情報を通信ネットワークＮを介して情報処理装置２に送信する。ここで、注文情報とは、製品を注文する情報であって、例えば型番が含まれる情報である。型番は、製品の仕様及び製品の仕向地を一意に識別する情報である。例えば、同じ種類の製品でも製品の仕向地が異なれば、それらの製品には互いに異なる型番が設定される。また、同じ種類の製品でも製品の仕様が異なれば、それらの製品には互いに異なる型番が設定される。これは、製品の仕様や製品の仕向地に応じて認証を受けるべき（適合すべき）規格が異なるためである。
【００２１】
通信ネットワークＮは、無線通信の伝送路であってもよく、有線通信の伝送路であってもよく、無線通信の伝送路及び有線通信の伝送路の組み合わせであってもよい。通信ネットワークＮは、携帯電話回線網などの移動体通信網、無線パケット通信網、インターネット及び専用回線又はそれらの組み合わせであってもよい。
【００２２】
図２は、本発明の一実施形態に係る情報処理装置２の概略構成の一例を示す図である。
情報処理装置２は、指示部２１、銘板情報記憶部２２、画像記憶部２３、検査条件記憶部２４、銘板作成部２５、認証確認部２６、送信部２７、及び許可部２８を備える。
【００２３】
指示部２１は、注文端末装置１と通信ネットワークＮを介して情報を取得する。具体的には、指示部２１は、注文端末装置１と通信ネットワークＮを介して通信することにより注文端末装置１から注文情報を取得する。また、指示部２１は、取得した注文情報に含まれる型番を取得（抽出）する。
【００２４】
図３は、銘板情報記憶部２２に格納されている認証データの一例をテーブル形式で示す図である。具体的には、銘板情報記憶部２２は、製品の型番ごとに、複数の認証マークのうちから使用する１又は複数の認証マークを指定する認証データを記憶する。
【００２５】
例えば、図３に示すように、型番ＡＡＡの製品に使用される規格としてＣＥマーク、ＲＣＭマーク、及びＥＭＣマークの表示が義務付けられている場合には、銘板情報記憶部２２において、型番ＡＡＡと、ＣＥマーク、ＲＣＭマーク、及びＥＡＣマークの認証データとが対応付けられて格納されている。
また、例えば、型番ＢＢＢの製品に使用される規格としてＲＣＭマーク、及びＥＭＣマークの表示が義務付けられている場合には、銘板情報記憶部２２において、型番ＢＢＢと、適合規格としてＲＣＭマーク、及びＥＡＣマークの認証データとが対応付けられて格納されている。
【００２６】
ここで、ＣＥマークとは、ＥＵ(欧州連合)加盟国の基準を満たすものに付けられる基準適合マークである。ＲＣＭマークは、オーストラリアおよびニュージーランドでの新電気用品安全管理の統一制度（EESS）での電気用品安全基準を満たすものに付けられる基準適合マークである。ＥＡＣマークは、ユーラシア経済委員会（ロシア・ベラルーシ・カザフスタン）の技術規則に基づき、適合性が検証された製品にのみ表示が許可される安全・ＥＭＣ認証マークである。
【００２７】
図４は、銘板情報記憶部２２に格納されている位置データの一例をテーブル形式で示す図である。銘板情報記憶部２２は、製品の銘板ラベルあるいは製品の銘板領域に、認証マークを印刷または刻印する位置を示す位置データを型番ごとに記憶する。すなわち、銘板情報記憶部２２は、製品の型番と、その製品の認証マークの位置データとを対応付けて記憶する。
【００２８】
ここで、銘板情報記憶部２２に格納されている位置データについて、図５を用いて説明する。図５は、銘板情報記憶部２２の位置データを説明する図である。
本実施形態の位置データとは、原点位置、原点位置からＸ方向（台紙の長手方向）への位置、原点位置からＹ方向（Ｘ方向と垂直な方向）への位置で表される。例えば、型番ＡＡＡに各認証マークが印字された銘板ラベルが貼付される場合には、一つの台紙１００の所定の位置を原点位置として、各認証マークの位置がＸＹ座標で表される。本実施形態では、台紙１００の四隅のうち左下の隅を原点位置として、ＣＥマーク１１０の位置データ（Ｘ１,Ｙ１）、ＲＣＭマーク１２０の位置データ（Ｘ１,Ｙ２）、ＥＡＣマーク１３０の位置データ（Ｘ２,Ｙ２）が型番ＡＡＡと対応付けられて銘板情報記憶部２２に格納されている。また、型番ＢＢＢの場合、台紙１００の四隅のうち左下の隅を原点位置として、ＲＣＭマーク１２０の位置データ（Ｘ１,Ｙ２）、ＥＡＣマーク１３０の位置データ（Ｘ２,Ｙ２）が対応付けられて銘板情報記憶部２２に格納されている。
【００２９】
画像記憶部２３は、各規格の認証マークごとに対応した画像データを記憶する。
【００３０】
図６は、検査条件記憶部２４に格納されている検査条件データの一例をテーブル形式で示す図である。検査条件記憶部２４は、認証規格の認証マークごとに、検査装置３（検査装置３−１，３−２，…，３−ｎ）ごとの検査条件を示す検査条件データを記憶する。ここで、耐圧試験、圧力試験等は、耐圧試験装置、圧力試験装置等を示す。
【００３１】
ここで、本実施形態では、検査装置３は、製品の型番ごとに要求された１または複数の規格が要求する各検査を行う各検査装置３−１，３−２，…，３−ｎを備える。例えば、各検査装置３−１，３−２，…，３−ｎは、耐圧試験装置やＥＭＣ試験装置等である。また、検査条件データとは、例えば、各検査装置３−１，３−２，…，３−ｎで実施される試験の試験時間や試験値（印加する電圧や電流等）等の試験に関するデータである。
【００３２】
図２に戻り、銘板作成部２５は、指示部２１で指示された型番に基づいて、銘板情報記憶部２２から認証データと位置データを抽出し、画像記憶部２３から、認証データに対応した画像データを取得し、この画像データと位置データとにより、印字装置４が用いる銘板データを作成する。
【００３３】
例えば、銘板作成部２５は、指示部２１で指示された型番と一致する型番を銘板情報記憶部２２から検索する。すなわち、銘板作成部２５は、指示部２１で指示された型番と一致する型番が銘板情報記憶部２２に格納されているか否かを判定する。そして、銘板作成部２５は、指示部２１で指示された型番と一致する型番が銘板情報記憶部２２に格納されていると判定した場合には、上記一致した型番の認証データを、銘板情報記憶部２２から抽出する。そして、銘板作成部２５は、抽出した認証データに対応した画像データを画像記憶部２３から取得する。
【００３４】
ただし、銘板作成部２５は、指示部２１で指示された型番と一致する型番が銘板情報記憶部２２に格納されていないと判定した場合には、自装置の表示画面（不図示）でエラーメッセージを表示する。この場合には、設計担当者は、エラーメッセージを確認し、後述する登録端末装置５で、一致しないと判定された型番に関連する情報（認証データ及び位置データ、及び画像データ）を情報処理装置２に登録することができる。
【００３５】
また、銘板作成部２５は、指示部２１で指示された型番と一致する型番が銘板情報記憶部２２に格納されていると判定した場合には、上記一致した型番に対応付けられた位置データを、銘板情報記憶部２２から抽出する。そして、銘板作成部２５は、取得した画像データと抽出した位置データとにより銘板データを作成し、送信部２７を介して印字装置４に送信する。
【００３６】
認証確認部２６は、指示部２１で指示された型番に基づいて銘板情報記憶部２２から認証データを抽出する。そして、認証確認部２６は、その抽出した認証データにより指定される１又は複数の認証マークに対応する検査条件データを、検査条件記憶部２４から読み出す。
【００３７】
送信部２７は、銘板作成部２５で作成された銘板データを印字装置４へ送信する。また、送信部２７は、認証確認部２６で読み出された対象の検査装置３に対して、認証確認部２６で読み出された検査条件データを送信する。
送信部２７は、検査条件データを送信した上記対象の検査装置３を示す情報を許可部２８に送信する。
【００３８】
許可部２８は、検査装置３から出力される合格判定通知を示す情報のうち、送信部２７から送信された情報が示す対象の検査装置のすべての合格判定通知を示す情報が入力された場合に、銘板作成部２５に対して、銘板データの作成、または印字装置４への銘板データの送信を許可する。
【００３９】
各検査装置３−１，３−２，…，３−ｎは、送信部２７から送信された検査条件データに基づいて、所定の検査を実施する。そして、各検査装置３−１，３−２，…，３−ｎは、検査結果が所定の基準を充足しているか否かを判定する。
各検査装置３−１，３−２，…，３−ｎは、検査結果が所定の基準を充足していると判定した場合には、その判定結果を示す合格判定通知を情報処理装置２に送信する。一方、各検査装置３−１，３−２，…，３−ｎは、検査結果が所定の基準を充足していないと判定した場合には、所定の基準を充足していない旨の表示を自装置の表示装置（不図示）に表示する。
【００４０】
印字装置４は、プリンタまたは刻印機である。印字装置４は、銘板作成部２５から通信ネットワークＮを介して、銘板データを取得する。そして、印字装置４は、取得した銘板データに基づいて、銘板ラベルあるいは製品の銘板領域に、認証マークを印刷または刻印する。なお、プリンタは、ＵＶ転写型等であってもよい。銘板ラベルが電子ペーパー等で構成されている場合、ＩｒＤＡなどにより、表示内容を設定してもよい。
【００４１】
登録端末装置５は、型番の新規登録又は登録されている型番に関連する内容の変更を行うことができる。
図７は、本発明の一実施形態に係る登録端末装置５の概略構成の一例を示す図である。
登録端末装置５は、型番登録部５１、位置データ調整部５２、検査条件調整部５３、及び通信部５４を備える。
【００４２】
型番登録部５１は、例えば、設計担当者の操作に基づいて、入力された型番とその型番に対応する認証データを銘板情報記憶部２２に登録（格納）することができる。また、型番登録部５１は、設計担当者の操作に基づいて、銘板情報記憶部２２に登録されている認証データを変更することができる。
【００４３】
位置データ調整部５２は、設計担当者によって入力された認証マークの位置データを、銘板情報記憶部２２に新たに登録することができる。また、位置データ調整部５２は、銘板情報記憶部２２に既に登録されている認証マークの位置データを、型番ごとに調整可能である。例えば、設計担当者は、一つの型番において、複数の認証データが登録されている場合に、すなわち一つの台紙１００に複数の認証マークが印字される場合において、各認証マークのレイアウト（位置データ）を位置データ調整部５２を用いて調整することができる。
【００４４】
検査条件調整部５３は、検査条件記憶部２４に記憶されている検査条件を、規格ごとに調整可能である。例えば、規格の検査条件が法的に変更された場合には、設計担当者は、検査条件記憶部２４に記憶されている、その規格の検査条件を検査条件調整部５３を用いて変更可能である。また、設計担当者は、新規の規格が銘板情報記憶部２２に登録された場合には、その規格の検査条件を検査条件調整部５３に入力することで検査条件記憶部２４に登録することができる。
【００４５】
次に、本発明の一実施形態に係る印字システムＡの動作について、図８を参照して説明する。図８は、本発明の一実施形態に係る印字システムＡの動作の流れを示すシーケンス図である。
【００４６】
注文端末装置１は、操作者から注文情報が入力されると、その注文情報を通信ネットワークＮを介して情報処理装置２に送信する（ステップＳ１０１）。
【００４７】
指示部２１は、注文端末装置１と通信ネットワークＮを介して通信することにより注文端末装置１から注文情報を取得し、取得した注文情報に含まれる型番を取得（抽出）する（ステップＳ１０２）。指示部２１は、取得した型番を銘板作成部２５に対して指示する。銘板作成部２５は、指示部２１で指示された型番と一致する型番を銘板情報記憶部２２から検索する（ステップＳ１０３）。そして、銘板作成部２５は、検索した型番に対応付けられた認証データを、銘板情報記憶部２２から抽出する（ステップＳ１０４）。
【００４８】
認証確認部２６は、指示部２１で指示された型番に基づいて銘板情報記憶部２２から認証データを抽出する。そして、認証確認部２６は、その抽出した認証データにより指定される１又は複数の認証マークに対応する検査条件データを検査条件記憶部２４から読み出す。送信部２７は、認証確認部２６で読み出された対象の検査装置３に対して、認証確認部２６で読み出された検査条件データを送信する（ステップＳ１０５）。また、送信部２７は、検査条件データを送信した上記対象の検査装置３を示す情報を許可部２８に送信する。
【００４９】
各検査装置３−１，３−２，…，３−ｎは、送信部２７から送信された検査条件データに基づいて、検査を実施する（ステップＳ１０６）。そして、各検査装置３−１，３−２，…，３−ｎは、検査結果が所定の基準を充足しているか否かを判定する。各検査装置３−１，３−２，…，３−ｎは、各検査結果が所定の基準を充足していると判定した場合には、合格判定通知を情報処理装置２に送信する（ステップＳ１０７）。
【００５０】
許可部２８は、検査装置３から出力される合格判定通知を示す情報のうち、送信部２７から送信された情報が示す対象の検査装置のすべての合格判定通知を示す情報が入力された場合に、銘板作成部２５に対して、銘板データの作成を許可する。
【００５１】
銘板作成部２５は、許可部２８により銘板データの作成が許可されると、指示部２１の型番に基づいて、銘板情報記憶部２２から位置データを抽出する。また、銘板作成部２５は、画像記憶部２３から、抽出した認証データに対応した画像データを取得する。
銘板作成部２５は、取得した画像データと位置データとにより、印字装置４が用いる銘板データを作成する（ステップＳ１０８）。そして、送信部２７は、銘板作成部２５が作成した銘板データを印字装置４に送信する（ステップＳ１０９）。
【００５２】
印字装置４は、銘板作成部２５から通信ネットワークＮを介して、銘板データを取得する。そして、印字装置４は、銘板ラベルあるいは製品の銘板領域において、銘板データに含まれている画像データを、位置データが示す位置に印刷又は刻印する（ステップＳ１１０）。
【００５３】
上述したように、本発明の一実施形態に係る情報処理装置２は、指示部２１で指示された型番に基づいて、銘板情報記憶部２２から認証データと位置データを抽出し、画像記憶部２３から、認証データで指定される認証マークに対応した画像データを取得し、この画像データと位置データとにより、プリンタまたは刻印機が用いる銘板データを作成して印字装置４に送信する。
【００５４】
これにより、同一製品に対し、適合すべき規格の組み合わせが多岐に渡り複雑化していた場合においても、製品に認証マーク等を表示する際に、人手の介在を極力排除することにより誤表示の発生を低減することが可能となる。さらに、認証規格自体の見直し等に起因する認証マークや検査条件の変更が生じた場合でも、製品間や型番間における認証マークや検査条件の変更漏れ等を低減することが可能となる。したがって、顧客の要求する規格を満たした製品を、確実に提供することが可能となる。
【００５５】
また、本発明の一実施形態に係る印字システムＡは、銘板ラベルの製造場所（または、認証マークの刻印場所）、すなわち印字装置４が複数ある場合、通信ネットワークＮを利用することで、所望の印字装置４に対して認証マークの印字の指示を容易に行うことができる。
【００５６】
また、従来では、製造担当者が、製造指示書に従い、所定のデータベースから適合規格の検査条件データを抽出し、その抽出した検査条件データに基づき検査装置３で検査を実施している。ただし、前述の如く、同一製品種に対しても、要求される規格等は多様化、複雑化している。そのため、検査条件データ等の人手による抽出は漏れや誤りの発生を排除し難い。一方、本発明の一実施形態に係る情報処理装置２では、検査条件データを認証マークごとに格納する検査条件記憶部２４と、抽出された認証データにより、検査条件記憶部２４から検査条件データを読み出し、検査装置３へ送信する送信部２７と、を備える。
これにより、製造担当者が、製造指示書に従い、データベースから検査条件データを抽出する必要がなくなり、対応規格に必要となる検査条件の漏れや誤りの発生を大幅に低減することが可能となる。
【００５７】
また、現在では、製品に適合すべき規格も多岐にわたることで、銘板ラベルを製造する場合には、多種類の銘板ラベルを在庫管理する必要がある。そのため、銘板ラベルが変更した場合は、銘板ラベルの在庫調整や廃棄が必要となる。本実施形態では、型番を取得することに応じて、製品ごとに一つの台紙１００に認証マークを印字して銘板ラベルを作成する。上述の印字システムＡでは、認証マークの画像データを画像記憶部２３に規格ごとに保持している。そのため、例えば、ある１つの規格の認証マークのデザインに変更があった場合でも、該当する画像記憶部２３の画像データを修正しておけば、その後に受注した同規格を有する型番の銘板ラベル等にすべて反映することができる。これにより、誤った（古い）認証マークを表示して出荷してしまうといったミスを防ぐことが可能となる。
【００５８】
また、上述の印字システムＡは、銘板情報記憶部２２に格納されている認証マークの位置データを調整可能な位置データ調整部５２を備える。これにより、新規規格への適合、規格内容の変更、認証マークのデザイン変更、及び規格適合の削除等があった場合には、設計担当者は、位置データ調整部５２で認証マークの位置データを調整すればよく、製造指示書を作成し直す必要はない。さらに、変更対象ではない規格については位置をずらす作業のみとなるため、設計担当者の変更作業におけるミス発生の可能性を低減できる。
【００５９】
なお、本発明は上記実施形態に限定されるものではなく、例えば以下のような変形例が考えられる。
【００６０】
（１）本実施形態に係る印字システムＡにおいて、例えば、該当製品に要求される規格の検査内容が、標準検査条件と同一である場合においては、規格毎の検査のステップ（図８におけるステップＳ１０５〜ステップＳ１０７）をスキップしても良い。その場合には、銘板作成部２５は、合格判定通知を取得しなくても、銘板データを印字装置４に送信する。
【００６１】
（２）本実施形態に係る印字システムＡにおいて、銘板情報記憶部２２に格納されている型番ごとの各認証マークの位置データは、予め設計担当者により設定されていてもよいし、自動で設定されてもよい。例えば、型番ごとの各認証マークの位置データが自動で設定される場合には、各認証マークのそれぞれが重ならず、且つ台紙１００の印刷可能範囲内にすべての認証マークが収まるように位置データが設定される。
【００６２】
（３）本実施形態に係る印字システムＡにおいて、銘板情報記憶部２２、画像記憶部２３、及び検査条件記憶部２４は、一つのデータベースとして構成されてもよい。さらに、製品が複数の工場で製造される場合、同データベースをクラウド・コンピューティング等で共有してもよい。これによって、工場差異によるミスの発生を防ぐことができる。
【００６３】
（４）本実施形態に係る印字システムＡにおいて、銘板情報記憶部２２は、製品の型番ごとに、銘板に用いるテキストデータと、製品の銘板ラベルあるいは製品の銘板領域に、そのテキストデータを印刷または刻印する位置を示すテキスト位置データとを記憶するようにしても良い。なお、テキスト位置データに関しても、図５に示した位置データと同様の方法で表される。そして、銘板作成部２５は、指示部２１で指示される型番に基づいて、銘板情報記憶部２２からテキストデータとテキスト位置データとを抽出し、その抽出したテキストデータとテキスト位置データに基づいて、銘板データにテキストを加えてもよい。規格の要求によって出荷する製品個々にユニークなＩＤを付与する必要がある場合には、ＩＤ発行サーバ（図示省略）より入手したＩＤ情報を元にテキストデータを作成しても良い。
【００６４】
（５）本実施形態に係る印字システムＡにおいて、銘板情報記憶部２２は、製品の型番ごとに、銘板に用いる記号マークを指定する記号データと、製品の銘板ラベルあるいは製品の銘板領域に、上記記号マークを印刷または刻印する位置を示す記号位置データとを記憶するようにしても良い。なお、記号位置データに関しても、図５に示した位置データと同様の方法で表される。また、画像記憶部２３は、上記記号マークに対応した画像データ（記号画像データ）を記憶するようにしても良い。そして、銘板作成部２５は、指示部２１で指示される型番に基づいて、銘板情報記憶部２２から記号データと記号位置データとを抽出し、抽出した記号データと記号位置データとに基づいて銘板データに記号画像データを加えてもよい。例えば、銘板作成部２５は、銘板情報記憶部２２から抽出した記号データが指定する記号マークの記号画像データを画像記憶部２３から取得する。そして、銘板作成部２５は、指示部２１で指示された型番の記号位置データと、取得した記号画像データに基づいて、銘板データに当該記号画像データを加えてもよい。ここで、記号マークとは、製品の仕様を示すものである。製品の注文情報によっては、対応規格の変更だけでなく、例えば、電源をＡＣにするかＤＣにするかといった製品仕様のカスタマイズに伴った記号マーク表示や検査条件の変更もあり得る。
【００６５】
（６）本実施形態に係る印字システムＡにおいて、指示部２１は、バーコードリーダーを備えており、注文書に付されたバーコードを読み取ることで注文情報や型番を取得するものであっても良い。バーコードリーダーによって注文情報を取得した場合には、その注文情報に含まれる型番を抽出して銘板作成部２５に指示すれば良く、バーコードリーダーによって型番を取得した場合には、その型番を銘板作成部２５に直接指示すれば良い。また、バーコードリーダーによって注文番号（オーダー番号）のみが取得される場合には、注文番号と注文情報（型番を含む）とが対応付けられたデータベース（図示省略）から、注文情報に対応する注文情報に含まれる型番を取得して銘板作成部２５に指示すれば良い。バーコード及びバーコードリーダに代え、もしくは、加えて、ＲＦＩＤタグおよびＲＦＩＤリーダー等を用いても良い。なお、両者を併用する場合、例えば、銘板ラベル自体に実装したパッシブＲＦＩＤに情報を記憶しておき、バーコードリーダで読み取った注文情報と、ＲＦＩＤリーダで読み取った銘板情報を比較チェックすることにより、銘板ラベルの誤貼付などのリスクをさらに低減することが可能となる。
【００６６】
図９は、情報処理装置２、及び登録端末装置５をコンピュータ等の電子情報処理装置で構成した場合のハードウェア構成の一例を示す。情報処理装置２、及び登録端末装置５は、ＣＰＵ（Ｃｅｎｔｒａｌ  Ｐｒｏｃｅｓｓｉｎｇ  Ｕｎｉｔ）周辺部と、入出力部と、レガシー入出力部とを備える。ＣＰＵ周辺部は、ホスト・コントローラ８０１により相互に接続されるＣＰＵ８０２、ＲＡＭ（Ｒａｎｄｏｍ  Ａｃｃｅｓｓ  Ｍｅｍｏｒｙ）８０３、グラフィック・コントローラ８０４、及び表示装置８０５を有する。入出力部は、入出力（Ｉ／Ｏ）コントローラ８０６によりホスト・コントローラ８０１に接続される通信インターフェース８０７、ハードディスクドライブ８０８、及びＣＤ−ＲＯＭ（Ｃｏｍｐａｃｔ  Ｄｉｓｋ  Ｒｅａｄ  Ｏｎｌｙ  Ｍｅｍｏｒｙ）ドライブ８０９を有する。レガシー入出力部は、入出力コントローラ８０６に接続されるＲＯＭ（Ｒｅａｄ  Ｏｎｌｙ  Ｍｅｍｏｒｙ）８１０、フレキシブルディスク（ＦＤ）・ドライブ８１１、及び入出力（Ｉ／Ｏ）チップ８１２を有する。
【００６７】
ホスト・コントローラ８０１は、ＲＡＭ８０３と、高い転送レートでＲＡＭ８０３をアクセスするＣＰＵ８０２、及びグラフィック・コントローラ８０４とを接続する。ＣＰＵ８０２は、ＲＯＭ８１０、及びＲＡＭ８０３に格納されたプログラムに基づいて動作して、各部の制御をする。グラフィック・コントローラ８０４は、ＣＰＵ８０２等がＲＡＭ８０３内に設けたフレーム・バッファ上に生成する画像データを取得して、表示装置８０５上に表示させる。これに代えて、グラフィック・コントローラ８０４は、ＣＰＵ８０２等が生成する画像データを格納するフレーム・バッファを、内部に含んでもよい。
【００６８】
入出力コントローラ８０６は、ホスト・コントローラ８０１と、比較的高速な入出力装置であるハードディスクドライブ８０８、通信インターフェース８０７、ＣＤ−ＲＯＭドライブ８０９を接続する。ハードディスクドライブ８０８は、ＣＰＵ８０２が使用するプログラム、及びデータを格納する。通信インターフェース８０７は、ネットワーク通信装置８９１に接続してプログラム又はデータを送受信する。ＣＤ−ＲＯＭドライブ８０９は、ＣＤ−ＲＯＭ８９２からプログラム又はデータを読み取り、ＲＡＭ８０３を介してハードディスクドライブ８０８、及び通信インターフェース８０７に提供する。
【００６９】
入出力コントローラ８０６には、ＲＯＭ８１０と、フレキシブルディスク・ドライブ８１１、及び入出力チップ８１２の比較的低速な入出力装置とが接続される。ＲＯＭ８１０は、情報処理装置２、及び登録端末装置５が起動時に実行するブート・プログラム、あるいは情報処理装置２、及び登録端末装置５のハードウェアに依存するプログラム等を格納する。フレキシブルディスク・ドライブ８１１は、フレキシブルディスク８９３からプログラム又はデータを読み取り、ＲＡＭ８０３を介してハードディスクドライブ８０８、及び通信インターフェース８０７に提供する。入出力チップ８１２は、フレキシブルディスク・ドライブ８１１、あるいはパラレル・ポート、シリアル・ポート、キーボード・ポート、マウス・ポート等を介して各種の入出力装置を接続する。
【００７０】
ＣＰＵ８０２が実行するプログラムは、フレキシブルディスク８９３、ＣＤ−ＲＯＭ８９２、又はＩＣ（Ｉｎｔｅｇｒａｔｅｄ  Ｃｉｒｃｕｉｔ）カード等の記録媒体に格納されて利用者によって提供される。記録媒体に格納されたプログラムは圧縮されていても非圧縮であってもよい。プログラムは、記録媒体からハードディスクドライブ８０８にインストールされ、ＲＡＭ８０３に読み出されてＣＰＵ８０２により実行される。ＣＰＵ８０２により実行されるプログラムは、情報処理装置２を、図１から図８に関連して説明した指示部２１、銘板情報記憶部２２、画像記憶部２３、検査条件記憶部２４、銘板作成部２５、認証確認部２６、送信部２７、及び許可部２８として機能させ、登録端末装置５を、図１から図８に関連して説明した型番登録部５１、位置データ調整部５２、検査条件調整部５３、及び通信部５４として機能させる。
【００７１】
以上に示したプログラムは、外部の記憶媒体に格納されてもよい。記憶媒体としては、フレキシブルディスク８９３、ＣＤ−ＲＯＭ８９２の他に、ＤＶＤ（Ｄｉｇｉｔａｌ  Ｖｅｒｓａｔｉｌｅ  Ｄｉｓｋ）又はＰＤ（Ｐｈａｓｅ  Ｄｉｓｋ）等の光学記録媒体、ＭＤ（ＭｉｎｉＤｉｓｋ）等の光磁気記録媒体、テープ媒体、ＩＣカード等の半導体メモリ等を用いることができる。また、専用通信ネットワークあるいはインターネットに接続されたサーバシステムに設けたハードディスク又はＲＡＭ等の記憶媒体を記録媒体として使用して、ネットワークを介したプログラムとして提供してもよい。
【符号の説明】
【００７２】
Ａ  印字システム
１  注文端末装置
２  情報処理装置
３  検査装置
４  印字装置
５  登録端末装置
２１  指示部
２２  銘板情報記憶部
２３  画像記憶部
２４  検査条件記憶部
２５  銘板作成部
２６  認証確認部
２７  送信部
２８  許可部
５１  型番登録部
５２  位置データ調整部
５３  検査条件調整部
５４  通信部
【図１】
2018206065.tif 000003
【図２】
2018206065.tif 000004
【図３】
2018206065.tif 000005
【図４】
2018206065.tif 000006
【図５】
2018206065.tif 000007
【図６】
2018206065.tif 000008
【図７】
2018206065.tif 000009
【図８】
2018206065.tif 000010
【図９】
2018206065.tif 000011